(57)【要約】【課題】  間欠動作機能付きボルテージ・レギュレータにおいて、電源電圧の急激な変動にも安定した電圧を出力するボルテージ・レギュレータの提供。【解決手段】  間欠動作機能の制御手段を具備し、ボルテージ・レギュレータが間欠動作状態にあるときに電源電圧が低下したことを検出して、間欠動作機能を停止し常時動作することにより、安定した出力電圧が得られる回路構成とした。【選択図】  図１
2006228076.tif 000002
【特許請求の範囲】
【請求項１】
少なくともエラーアンプと、基準電圧回路と、出力トランジスタからなり間欠動作機能を有したボルテージ・レギュレータにおいて、前記間欠動作機能の制御手段を具備したことを特徴とするボルテージ・レギュレータ。
【請求項２】
前記制御手段は電圧検出回路を具備し、前記電圧検出回路は電源電圧が低下したことを検出して、前記間欠動作機能を停止することを特徴とする請求項1記載のボルテージ・レギュレータ。
【請求項３】
前記制御手段は電圧検出回路と遅延回路を具備し、前記電圧検出回路は電源電圧が低下したことを検出して、前記遅延回路による遅延時間において前記間欠動作機能を停止することを特徴とする前期請求項1記載のボルテージ・レギュレータ。
【発明の詳細な説明】
【技術分野】
【０００１】
本発明は、間欠動作機能を具備するボルテージ・レギュレータにおいて、その間欠動作機能の制御が可能なボルテージ・レギュレータに関する。
【背景技術】
【０００２】
従来のボルテージ・レギュレータとしては、図４の回路図に示すような回路が知られていた。即ち、抵抗１１と抵抗１２からなる電圧分圧回路１と、基準電圧回路２と、コンパレータ３と、Ｐチャネル型ＭＯＳトランジスタ４で構成されている（例えば、特許文献１）。
【０００３】
エラーアンプ３は、基準電圧回路２の基準電圧と電圧分圧回路１の出力電圧を比較し、出力電圧Ｖｏｕｔが基準電圧と同じ電圧に保つようにＰチャネル型ＭＯＳトランジスタ４のゲート電圧を制御する。
【０００４】
また、このボルテージ・レギュレータを間欠動作させ、消費電流を削減するという使い方がされていた。
【特許文献１】特開２００１−２８２３７１
【発明の開示】
【発明が解決しようとする課題】
【０００５】
しかしながら従来のボルテージ・レギュレータにおいては、間欠動作状態で電源電圧が急激に下がると過度の出力電圧降下を引き起こし、ボルテージ・レギュレータの出力電圧を一定値に保つ事が不可能になり、ボルテージ・レギュレータの出力電圧を電源電圧として動作している他の回路を誤動作させるという問題点があった。
そこで本発明の目的は、従来のこのような課題を解決するため、間欠動作機能付きボルテージ・レギュレータの安定動作を可能にすることである。
【課題を解決するための手段】
【０００６】
上記問題点を解決するために、本発明のボルテージ・レギュレータは、間欠動作機能の制御手段を具備し、電源電圧が低下した際に間欠動作機能を停止して常時動作する回路構成とした。
【発明の効果】
【０００７】
本発明の間欠動作機能付きボルテージ・レギュレータは、電源電圧が低下した時にその間欠動作機能を停止する制御手段を具備することにより、電源電圧が極度に低下した際に間欠動作機能を止めて常時動作することで、安定動作ができるという効果がある。
【発明を実施するための最良の形態】
【０００８】
本発明のボルテージ・レギュレータは、間欠動作機能の制御手段を具備し、ボルテージ・レギュレータが間欠動作状態にあるときに電源電圧が低下したことを検出して、間欠動作機能を停止し常時動作することにより、安定した出力電圧が得られる回路構成としたものである。
【実施例１】
【０００９】
図１は、第１の実施例の間欠動作機能付きボルテージ・レギュレータのブロック図である。
【００１０】
ボルテージ・レギュレータ７は間欠動作を制御する制御信号を入力するＣＥ端子を具備しており、ＣＥ端子に入力される制御信号であるＣＬＫ信号に基づいて間欠動作する。ＣＬＫ信号はＮＡＮＤ回路６を介してＣＥ端子に入力される。ＮＡＮＤ回路６のもう一方の入力端子には、間欠動作を制限する信号であるコンパレータ５の出力を入力する。コンパレータ５は、抵抗２１と抵抗２２からなる抵抗分圧回路２３の出力と、基準電圧回路２０の出力を比較して、抵抗分圧回路２３の出力に応じてボルテージ・レギュレータの間欠動作を制御する。
【００１１】
抵抗分圧回路２３の出力が基準電圧回路２０の出力よりも高い場合は、コンパレータ５の出力からＨレベル信号が出力される。従って、ＮＡＮＤ回路６はＣＬＫの反転信号をボルテージ・レギュレータ７のＣＥ端子に出力し、ボルテージ・レギュレータはＣＬＫ信号の周波数で間欠動作を行う。
【００１２】
一方、抵抗分圧回路２３の出力が基準電圧回路２０の出力よりも低い場合は、コンパレータ５の出力からＬレベル信号が出力される。従って、ＮＡＮＤ回路６はＣＬＫ信号によらずＨレベル信号をボルテージ・レギュレータ７のＣＥ端子に出力し、ボルテージ・レギュレータ７は常に動作することになる。
【００１３】
以上のように電源電圧が任意の基準電圧より低い時に、間欠動作を停止して常時動作とすることにより、間欠動作機能付きボルテージ・レギュレータの安定動作を実現できる。
【実施例２】
【００１４】
図２は、第２の実施例の間欠動作機能付きボルテージ・レギュレータのブロック図である。
【００１５】
実施例１と同様に、ボルテージ・レギュレータ７は間欠動作を制御する制御信号を入力するＣＥ端子を具備しており、ＣＥ端子に入力される制御信号であるＣＬＫ信号に基づいて間欠動作する。ＣＬＫ信号はＮＡＮＤ回路６を介してＣＥ端子に入力される。ＮＡＮＤ回路６のもう一方の入力端子には、間欠動作を制限する信号を入力する。
【００１６】
間欠動作を制限する信号は、ＸＮＯＲ回路８の出力信号としている。ＸＮＯＲ回路８は、実施例１と同様のコンパレータ５の出力と、コンパレータ５の出力を遅延回路９によって遅延した信号とを入力としている。
【００１７】
図３に、本発明の第２の実施例の間欠動作機能付きボルテージ・レギュレータのタイミングチャート示す。抵抗分圧回路２３の出力が基準電圧回路２０の出力よりも高い場合は、コンパレータ５の出力からＨレベル信号が出力される。遅延回路９の信号もＨレベル信号が出力される。従って、ＸＮＯＲ回路８の出力信号はＨレベルとなり、ボルテージ・レギュレータはＣＬＫ信号の周波数で間欠動作を行う。
【００１８】
抵抗分圧回路２３の出力が徐々に下がってきて、基準電圧回路２０の出力よりも低くなった時に、コンパレータ５の出力からＨレベル信号からＬレベル信号に変わる。遅延回路９の信号は遅延時間分だけ遅れてＬレベル信号が出力される。従って、ＸＮＯＲ回路８の出力信号は遅延時間分だけＬレベルとなり、ボルテージ・レギュレータは遅延時間分だけ間欠動作を停止する。
【００１９】
以上のように電源電圧が任意の基準電圧より低くなった時に、間欠動作を停止して常時動作とすることにより、間欠動作機能付きボルテージ・レギュレータの安定動作を実現できる。
【図面の簡単な説明】
【００２０】
【図１】本発明の第１の実施例の間欠動作機能付きボルテージ・レギュレータのブロック図である。
【図２】本発明の第２の実施例の間欠動作機能付きボルテージ・レギュレータのブロック図である。
【図３】本発明の第２の実施例の間欠動作機能付きボルテージ・レギュレータのタイミングチャートである。
【図４】従来のボルテージ・レギュレータのブロック図である。
【符号の説明】
【００２１】
１、２３                    電圧分圧回路
２、２０                    基準電圧回路
３                          エラーアンプ
５                          コンパレータ
９                          遅延回路
【図１】
2006228076.tif 000003
【図２】
2006228076.tif 000004
【図３】
2006228076.tif 000005
【図４】
2006228076.tif 000006